(57)【特許請求の範囲】
【請求項１】
単独処理浄化装置に第２の処理浄化装置を接続することにより、屎尿、および台所排水・洗濯排水・洗面・浴室排水などの生活雑排水の浄化処理を可能とする合併処理化装置であって、嫌気処理部及び好気処理部、消毒部を有し、嫌気処理部の上流側に屎尿および生活雑排水の流入口を備えると共に、消毒部の下流側に排水の流出口を備える単独処理浄化装置と、少なくとも好気処理部及び沈殿部を有する第２の処理浄化装置と、単独処理浄化装置の消毒部の上流側と第２の処理浄化装置の好気処理部とを配管接続する移流管と、単独処理浄化装置の消毒部と第２の処理浄化装置の沈殿部とを配管接続する返送管と、を備え、単独処理浄化装置に流入し、嫌気処理及び好気処理された屎尿および生活雑排水は移流管より第２の処理浄化装置に流入し好気処理された後、返送管により単独処理浄化装置の消毒部に流入して滅菌処理され、流出口より排出されるよう構成されてなり、浴室排水を搬送する浴室排水配管は、前記単独処理浄化装置の消毒部に接続されてなる合併処理化装置。
【請求項２】
前記浴室排水配管は、流量調整弁を備えてなる請求項１記載の合併処理化装置。
【請求項３】
単独処理浄化装置と第２の処理浄化装置の間に流量調整槽を配設し、単独処理浄化装置において、嫌気処理及び好気処理された排水は流量調整槽を介して第２の処理浄化装置に流入するよう構成されてなる請求項１又は請求項２に記載の合併処理化装置。
【発明の詳細な説明】
【０００１】
【発明の属する技術分野】
本発明は、屎尿と、台所排水・洗濯排水・洗面・浴室排水などの生活雑排水を同時に処理する合併処理化装置に関する。
【０００２】
【従来の技術】
従来から、屎尿の浄化を行う装置としては、単独処理浄化槽を用いている。
図９は、分離接触ばっ気方式の単独処理浄化槽を示す概略断面図である。屎尿は、流入口２から沈殿分離室３へと流入し、固液分離及び嫌気処理が行われ、接触ばっ気室４へと移流する。接触ばっ気室４内では、移流した水が散気管７から散気される空気の泡により攪拌されて接触材８に接触し、栄養基質の酸化除去が徐々に行われる。接触材８は、攪拌を継続していると生物膜が厚く堆積し閉塞してしまうので、定期的に逆洗管９より空気泡を吐出することで生物膜を剥離させている。接触ばっ気室４を通過した水は、沈殿室５にて固形分の沈殿分離を行ってから、分離された上澄み液を消毒室６へと移流させ、滅菌処理を施した後に流出口１０より放流される。
【０００３】
【発明が解決しようとする課題】
しかしながら、単独処理浄化槽は、処理すべき水の種類が屎尿に限定され、台所排水、洗濯排水、洗面排水及び浴室排水等の生活雑排水を処理できないとの課題を有している。
このような問題は、既設の単独処理浄化槽を撤去して新たに合併処理浄化槽を設置することで解決できるが、施工費用が高額となるばかりでなく、多くの単独処理浄化槽がＦＲＰ製であることから、不要となった単独処理浄化槽の処分に関しても新たな問題を発生させている。また、単独処理浄化槽を掘り起こすことなく、埋め殺す場合には、処分に関する問題が発生しないものの、土地の有効活用ができないとの別の問題が発生した。
【０００４】
本発明は、上記のような課題に鑑みてなされたものであり、既設の単独処理浄化槽（装置）を有効利用することにより、単独処理浄化槽の処分問題を解決すると共に、新たな合併処理浄化槽を購入するよりも安価に生活雑排水を処理可能な合併処理化装置を提供することを目的とする。
【０００５】
【課題を解決するための手段】
本発明の既設の単独処理浄化槽（装置）を有効利用し、屎尿および生活雑排水の合併処理を可能とする合併処理化装置は、次の構成を有する。
（１）既設の単独処理浄化装置に接続する第２の処理浄化装置は、接触ばっ気槽及び沈殿槽等の好気処理部を有し、単独処理浄化装置との配管接続が、単独処理浄化槽の消毒室に流入する直前の排水を第２の処理浄化装置の好気処理部へと流入させる移流管と、第２の処理浄化装置の沈殿部の排水を単独処理浄化装置の消毒室に返送する返送管とによりなされる。そして、屎尿および生活雑排水を単独処理浄化装置の流入口へと流入させると共に、単独処理浄化装置の流出口より処理浄化された排水が系外に排出され、浴室排水配管により搬送される浴室排水は、単独処理浄化槽の消毒室に接続する。
（２）浴室排水を搬送する浴室排水配管が、流量調整弁を備えている。
（３）単独処理浄化装置と第２の処理浄化装置の間に流量調整槽を設け、単独処理浄化装置の消毒室に流入する直前の排水を上記流量調整槽を介して第２の処理浄化装置の好気処理部へと流入させる。
【０００６】
【発明の実施の形態】
本発明の合併処理化装置は単独処理浄化装置（槽）に第２の処理浄化装置を配管接続する構成を有している。
第２の処理浄化装置を接続する単独処理浄化槽は、嫌気処理部及び／又は好気処理部、消毒室とを有するものであれば特に限定されるものではない。具体的には、従来技術にて説明したように、流入口及び流出口を有し、内部に上流側から沈殿分離室、接触ばっ気室、沈殿室、消毒室を設けたものを好適に用いることができる。
【０００７】
本発明に用いる第２の処理浄化装置は、少なくとも好気処理を行うための接触ばっ気槽及び沈殿槽があれば特に限定されるものではなく、好ましくは、該接触ばっ気槽は、好気濾材（接触材）を有し、底部には散気管及び逆洗管を配置してあるものを用いる。
【０００８】
第２の処理浄化装置の接触ばっ気槽は、単独処理浄化槽より移流してきた処理水を、底部に配置した散気管から吐出される空気泡により撹拌し、好気処理を行う部分である。撹拌された処理水は、接触ばっ気槽内に設けられた接触材に生成した生物膜に接触し、好気性微生物により有機物の分解及びアンモニアの硝化が行われる。散気管から吐出される空気泡による撹拌を継続すると、接触材表面に生成した生物膜が厚く堆積し閉塞してしまうので、接触材下部に設けられた逆洗管より吐出される空気泡により定期的に生物膜の剥離を行う。この剥離された生物膜は、前記単独処理浄化槽の嫌気処理部へ返送されるか、又は系外へ放出される。
【０００９】
本発明に用いる移流管は、単独処理浄化槽から第２の処理浄化装置の接触ばっ気槽へと排水を移流させるものであり、単独処理浄化装置の沈殿室または接触ばっき室と、第２の処理浄化装置の流入口とを接続して配設される。すなわち、単独処理浄化槽から第２の処理浄化装置に流入する排水は、単独処理浄化装置の消毒室に流入する直前の排水としている。具体的には、単独処理浄化槽の接触ばっき室又は沈殿室から排水を抜き取り、第２の処理浄化装置の接触ばっ気槽へと移流させることが好ましい。
【００１０】
本発明に用いる返送管は、第２の処理浄化装置の沈殿槽と、単独処理浄化槽の消毒室とを接続して配設される。そして、第２の処理浄化装置の沈殿槽の排水を、単独処理浄化槽の消毒室に返送するものであり、返送された排水は、滅菌処理が行われて流出口から系外へと放流される。
【００１１】
本発明の合併処理化装置に洗浄排水移送管を設ける場合は、洗浄排水移送管は第２の処理浄化装置の接触ばっ気槽と単独処理浄化槽の流入口直後とを連結して配設され、第２処理浄化装置における接触材を洗浄した排水を、単独処理浄化槽の流入口直後へと移送させるものである。すなわち、洗浄排水移送管は接触ばっ気槽の接触材から剥離させた生物膜を多く含む排水の移送をする。
また、接触ばっき槽を洗浄した排水は直接系外に排出してもよく、この場合には、洗浄排水移送管を設けない。
【００１２】
本発明では上記単独処理浄化槽の流入口に、浴室排水以外の屎尿、台所排水及び洗濯排水等を搬送する配管を連結している。浴室排水を単独処理浄化槽の流入口に連結していない理由は、浴室排水は他の生活雑排水と比較して汚れが少なく、量が多いために、単独処理浄化槽及び第２の処理浄化装置を通過させることなく、直接系外へ放流しても良いからである。
【００１３】
また、本発明においては浴室排水用の浴室排水配管を他の排水配管とは別に接続する構成とし、浴室排水配管を第２の処理浄化装置に直接流入させる構成としても良い。また、浴室排水配管を単独処理浄化槽の消毒室に直接流入させる構成として、滅菌してから系外へ放流しても良い。さらに、洗濯排水も専用の配管を設け、浴室排水配管の途中に接続させる構成とすることで、浴室排水と同様の処理を行って、系外へ放流しても良い。これは、洗濯排水が台所排水、屎尿に比べると汚れが少なく、量が多いためである。
【００１４】
本発明では、浴室排水配管に流量調整弁を設けることが好ましい。流量調整弁は浴室排水管を搬送される排水の量を弁により調整し、第２の処理浄化装置に流入される浴室排水量の流入量変動を小さくすることにより、接触ばっ気槽の効率よい好気処理の達成、および単独処理浄化槽の消毒室を通過させる際の水の流入量変動を小さくして、消毒槽に流入した水の効率よい滅菌の達成を実行している。
ただし、流量調整弁は前記洗濯排水配管を接続した場合には、洗濯排水配管の接続部より上流に設けることが好ましい。これは洗濯排水は洗濯機の洗濯、すすぎ、脱水工程毎に排出されるので、流量調整弁を介さずに随時排水を接触ばっ気槽、あるいは消毒室に素早く流入させる構成としている。
【００１５】
本発明の合併処理化装置では、第２の処理浄化装置の接触ばっ気槽の上流に流量調整槽を設け、第２の処理浄化装置へと流入する排水を一旦流量調整槽に溜め、そこから接触ばっ気槽へと流入させることにより、安定した排水処理を達成している。
【００１６】
（実施例）
以下図面を用いて、本発明の実施例を説明する。
実施例１
図１は、本発明の実施例１を示し、（Ａ）は概略平面図を示し、（Ｂ）は概略側断面図を示す。
この実施例に示す合併処理化装置１００は単独処理浄化槽１と第２の処理浄化装置１５を配管２５で接続している。単独処理浄化槽１は、既設のものであり、その内部構造は、上流側から第１流入口１１、沈殿分離室２１、接触ばっ気室２２、沈殿室２３、消毒室２４、第１流出口１２を設けている。
【００１７】
第２の処理浄化装置１５は、その内部に第２の接触ばっ気槽１６及び第２の沈殿槽１７が配置されている。
第２の接触ばっ気槽１６は接触材１８を有し、接触材１８の下部には、散気部材１９が設けられている。下部に設けられた散気部材１９は、常時空気泡の吐出を行って排水を接触材１８に接触させ、好気処理を行っている。また、第２の接触ばっ気槽１６の下部に設けられた逆洗管２０は、空気泡を吐出して接触材１８に堆積する生物膜の剥離を行う。
【００１８】
単独処理浄化槽１と第２の処理浄化装置１５は、単独処理浄化槽１の沈殿室２３と第２の処理浄化装置１５の第２流入口１３とを移流管２５で配管接続されている。移流管２５は、排水を単独処理浄化槽１から第２の処理浄化装置１５へと移流させる。また、第２の処理浄化装置１５の第２流出口１４と、単独処理浄化槽１の消毒室２４は、返送管２６により配管接続されている。そして、第２の処理浄化装置１５の沈殿槽１７から単独処理浄化槽１の消毒室２４へと排水を返送する構成となっている。
【００１９】
この実施例に示す合併処理化装置１００における水の流れを説明する。
家庭から排出される屎尿、台所排水（ディスポーザ排水を含む）、洗面排水（以下まとめて排水ａと言う）及び洗濯排水ｂは、単独処理浄化槽１の第１流入口１１から沈殿分離室２１へと流入して固液分離及び嫌気処理を行われる。次に、接触ばっ気室２２にて栄養基質の酸化除去が行われる。接触ばっ気室２２を通過した排水ａ及び洗濯排水ｂは、沈殿室２３内で固形分の沈殿分離が行われ、上澄み液が移流管２５へ流入する。
【００２０】
排水ａ、洗濯排水ｂは、移流管２５をとおって、第２流入口１３より第２の処理浄化装置１５へと移流する。そして、第２の処理浄化装置１５内において、第２の接触ばっ気槽１６にて散気部材１９からの空気泡の吐出による好気処理がなされ、沈殿槽１７へと移流する。沈殿槽１７で固形分の沈殿分離が行われ、上澄み液が第２流出口１４より、返送管２６を通って単独処理浄化槽１の消毒室２４へと流入して滅菌処理を行われる。滅菌処理された水は、単独処理浄化槽１の第１流出口１２から放流される。
【００２１】
第２の処理浄化装置１５において、第２の接触ばっ気槽１６は、接触材１８に堆積して閉塞する生物膜を、逆洗管２０から空気泡を吐出させて定期的に剥離させている。剥離された生物膜は、移送ポンプ２７を稼働させて、洗浄排水移送管２８より引き抜き、単独処理浄化槽１の沈殿分離室２１へと返送する。
しかし、第２の接触ばっき槽１６を洗浄した排水を直接系外に排出する場合には、洗浄排水移送管２８は配設しなくとも良い。
【００２２】
実施例２
この実施例は単独処理浄化槽１の移流管２５に浴室排水配管２９を接続した合併処理化装置１００を示す。・・・図２参照
この合併処理化装置１００は、浴室排水ｃを搬送する浴室排水配管２９を移流管２５に接続する構成としている。浴室排水ｃは第２の処理浄化装置１５の流入口１３の直前で移流管２５に流入し、第２の処理浄化装置１５へと移流されるものである。浴室排水ｃは第２の処理浄化装置１５の第２の接触ばっき槽１６、第２の沈殿槽１７で処理される。そして処理液は、返送管２６により単独処理浄化槽１の消毒室２４に流入して滅菌されて系外へ放流される。
【００２３】
実施例３
この実施例に示す合併処理化装置１００は、単独処理浄化槽１の消毒室２４に浴室排水配管２９を接続している。・・・図３参照
この構成により、浴室排水ｃは単独処理浄化槽１において消毒室２４で滅菌処理が行われるのみで、系外へと放流される。
【００２４】
実施例４
この実施例に示す合併処理化装置１００は、浴室排水配管２９の途中に洗濯排水配管３０を接続している。・・・図４参照
洗濯排水配管３０を配設することにより、排水ａと一緒に処理させていた洗濯排水ｂを、排水ａとは別の経路で処理する構成としている。洗濯排水配管３０は、浴室排水配管２９の途中に接続し、浴室排水ｃに洗濯排水ｂを流入させている。そして、洗濯排水ｂを流入させた浴室排水ｃは配管２９を通って移流管２５から、第２の処理浄化装置１５に流入させている。
ここで、浴室排水配管２９に洗濯排水配管３０を接続する構成は、浴室排水配管２９を単独処理浄化槽１の消毒室２４に接続する場合にも適用できる。
【００２５】
実施例５
この実施例に示す合併処理化装置１００は、浴室排水配管２９に流量調整弁３１を配設している。・・・図５参照
浴室排水ｃは、数分間に約２００〜３００Ｌという大量の排水を発生させる。そのため、第２の処理浄化装置１５の第２の接触ばっ気槽１６の容量を十分に大きく確保しなければ、処理の行われない排水をそのまま放流することになりかねない。そのため、第２の接触ばっ気槽１６の容量を十分に確保できない場合には、浴室排水配管２９に流量調整弁３１を設け、少量づつ浴室排水ｃを第２の接触ばっ気槽１６へと流入させ、安定した処理を行う。
【００２６】
実施例６
この実施例に示す合併処理化装置１００は、流量調整弁３１を設けた浴室排水配管２９の途中に洗濯排水配管３０を接続する構成となっている。・・・図６参照
流量調整弁３１を設けた浴室排水配管２９に洗濯排水配管３０を接続させる。このとき、洗濯排水配管３０は流量調整弁３１の下流側に配設し、短時間間隔に排出される洗濯排水ｂは流量調整弁３１を通過しないことが好ましい。
【００２７】
実施例７
この実施例に示す合併処理化装置１００は、第２の処理浄化装置１５の第２の接触ばっ気槽１６の上流側に流量調整室３２を併設している。・・・図７参照
本実施例の合併処理化装置１００は、移流管２５の途中に浴室排水配管２９を接続させて、排水ａ、洗濯排水ｂ及び浴室排水ｃを第２の流入口１３から流量調整室３２に流入させる構成となっている。そして、流量調整室３２からポンプ３３を用いて第２の接触ばっ気槽１６へと移流させている。
この構成により、浴室排水ｃ等の数分間に約２００〜３００Ｌという大量の排水が発生しても、一旦流量調整室３２に貯められる。そして、ポンプ３３により少量づつ排水ａ、ｂ，ｃを第２の接触ばっ気槽１６へと流入させることができ、安定した処理を行うことができる。
【００２８】
実施例８
本実施例の合併処理化装置１００は、第２の処理浄化装置１５と流量調整部とを一体化せずに配管接続した構成となっている。・・・図８参照
流量調整槽３４は単独処理浄化槽１からの移流管２５を接続する流入口３６を有し、ポンプ３５により搬送管３７を介して排水を第２の処理浄化装置１５に搬送している。なお、この例では移流管２５に浴室排水管２９を接続している。
この構成により、流量調整槽３４から少量づつ排水ａ、ｂ，ｃを第２の処理浄化装置１５の第２の接触ばっ気槽１６へ流入させることができ、安定した処理を行うことができる。また、既設の単独処理浄化槽１を利用する場合、新たに地中に埋設するのは流量調整槽３４だけで済み、第２の処理浄化装置１５は地上設置することが可能となる。
【００２９】
【発明の効果】
本発明は、既設の単独処理浄化槽を利用することにより合併処理を可能としたので、単独処理浄化槽を処分して新たに合併処理浄化槽を設置するよりも、安価に合併処理を行うことが可能であり、単独処理浄化槽を処分する必要もなくなる。
本発明の合併処理化装置は、単独処理浄化槽の消毒室に流入する直前の排水を第２の処理浄化装置へと流入させ、第２の処理浄化装置で好気処理の後、単独処理浄化槽の消毒室へと返送しているので、合併処理化装置に消毒室を設けることなく、既存の単独処理浄化槽に付設する消毒室を活用することが可能であり、部材点数の低減、および資源の有効活用が図られる。
【００３０】
また、浴室排水配管を別配管にすることにより、他の生活雑排水に比較して量が多いために排水処理を不安定にしていた浴室排水を、直接系外に放出、または第２の処理浄化装置による処理のみまたは滅菌のみを行って系外に放出することができ、排水処理を安定に行なうことができる。さらに、浴室排水が単独処理浄化槽を通過せず直接第２の処理浄化装置に流入あるいは直接放出あるいは滅菌のみを行って系外に放出される場合、単独処理浄化槽の汚泥の流出が防げると共に、好気処理を効率的に行うことができるので、接触ばっ気槽の容量をコンパクトにすることができ、システム全体を小型化することが可能となる。
【００３１】
また、浴室排水配管に流量調整弁を設けた場合には、第２の処理浄化装置の接触ばっ気槽あるいは消毒槽を大きくする必要がなく、効率よく排水を好気処理あるいは滅菌することができる。さらに、第２の処理浄化装置に流量調整部を設けた場合には、安定した排水処理を行うことができ、特に第２の処理浄化装置と流量調整部とを一体化せずに配管接続する構成とすることにより、第２の処理浄化装置を地上設置とすることが出来、施工費用を低く抑えることが可能となる。
【図面の簡単な説明】
【図１】本発明の実施例を示す合併処理化装置の（ａ）は概略平面図、（ｂ）は概略側断面図。
【図２】本発明の実施例２を示す概略平面図。
【図３】本発明の実施例３を示す概略平面図。
【図４】本発明の実施例４を示す概略平面図。
【図５】本発明の実施例５を示す概略平面図。
【図６】本発明の実施例６を示す概略平面図
【図７】本発明の実施例７を示す概略側断面図。
【図８】本発明の実施例８を示す概略側断面図。
【図９】従来例を示す、分離接触ばっ気方式の単独処理浄化槽の概略断面図。
【符号の説明】
１  単独処理浄化槽                    ２  流入口
３  沈殿分離室                        ４  接触ばっ気室
５  沈殿室                            ６  消毒室
７  散気管                            ８  接触材
９  逆洗管                            １０  流出口
１１  第１流入口                      １２  第１流出口
１３  第２流入口                      １４  第２流出口
１５  第２の処理浄化装置              １６  第2の接触ばっき槽
１７  第２の沈殿槽                    １８  接触材
１９  散気部材                        ２０  逆洗管
２１  沈殿分離室                      ２２  接触ばっき室
２３  沈殿室                          ２４  消毒室
２５  移流管                          ２６  返送管
２７  移送ポンプ                      ２８  洗浄排水移送管
２９  浴室排水配管                    ３０  洗濯排水配管
３１  流量調整弁                      ３２  流量調整室
３３、３５  ポンプ                    ３４  流量調整槽
３７  配送管
【図１】
0004230082.tif 000002
【図２】
0004230082.tif 000003
【図３】
0004230082.tif 000004
【図４】
0004230082.tif 000005
【図５】
0004230082.tif 000006
【図６】
0004230082.tif 000007
【図７】
0004230082.tif 000008
【図８】
0004230082.tif 000009
【図９】
0004230082.tif 000010